(57)【特許請求の範囲】
【請求項１】
ホストコンピュータと通信ネットワークを介して接続され、ホストコンピュータから証券データの配信を受ける証券情報端末装置において、
前記配信された証券データに含まれる、各株式銘柄の株価データと、少なくとも売買単位株式数、手数料率、消費税率及び譲渡税率で構成される間接コストパラメータとを記憶する記憶手段と、
ユーザによる株式銘柄を指定する入力を受け付ける入力受付部と、
前記入力受付部で受け付けられた前記株式銘柄が指定されると、前記記憶手段を検索して当該株式銘柄に対応する株価データと間接コストパラメータとを読み出すデータ検索部と、
前記データ検索部で読み出された前記株価データと前記間接コストパラメータとに基づいて、株価の現在値における売買単位株数毎の買付支払額、売付受取額及び前記買付支払額に対する損益分岐株価を算出するデータ演算部と、
前記データ演算部が算出した結果を表示フォーマットに従って表示装置に表示する表示制御部と
を有することを特徴とする証券情報端末装置。
【発明の詳細な説明】
【０００１】
【発明の属する技術分野】
この発明は、証券情報端末装置に関し、特に、ホストコンピュータと通信ネットワークを介して接続され、ホストコンピュータから証券データの配信を受ける証券情報端末装置に関する。
【０００２】
【従来の技術】
従来の金融商品、例えば株式取引に関する情報表示を行う証券情報端末装置においては、株式の時価に関する情報は表示されるが、その購入や売却あるいは預託や解約時の手数料や税金といった諸費用が即時に分かるような表示を行っていない。このために、投資家や預金者は、対象商品の価格に対して諸費用を加味して実際の収支額を別途に計算する必要がある。
【０００３】
【発明が解決しようとする課題】
上述した証券情報端末装置によって証券取引を行う場合に、取り引きする対象商品の価格以外の諸費用が即時に分かるように表示が行われないので、投資家や預金者は、諸費用を加味した正確な資産管理を行うために余分な時間がかかるという問題がある。
【０００４】
この発明は、上記の問題を解決すべくなされてものであって、証券取引を行う場合に、対象商品の価格および諸費用が即時に分かり、投資家や預金者が諸費用を加味した正確な資産管理を短時間に行うことができる証券情報端末装置を提供することを目的とする。
【０００５】
【課題を解決するための手段】
前述した課題を解決するために、この発明は、ホストコンピュータと通信ネットワークを介して接続され、ホストコンピュータから証券データの配信を受ける証券情報端末装置において、前記配信された証券データを記憶する記憶手段と、前記証券データを用いて指示された証券取引を演算処理するデータ演算部と、データ演算部が演算処理した結果を前記証券取引に対応する表示フォーマットに従って表示装置に表示する表示制御部と、証券取引の処理をすべき旨の指示を与えられると、前記記憶手段を検索して処理に必要な証券データを読み出し、それをデータ演算部に与えて必要な処理演算を行わせ、その結果を表示制御部に表示させるデータ検索部とを有する。
【０００６】
５
このような構成によれば、証券取引の処理に必要な証券データは、ホストコンピュータから証券情報端末装置の記憶手段に与えられている。したがって、証券情報端末装置において、データ検索部は、キーボード等の入力装置から証券取引の処理をすべき指示を与えられると、必要な証券データを記憶手段から読み出し、データ演算部に与え、データ演算部は、それに対して必要な演算処理を加え、その結果を表示制御部が表示フォーマットに従って表示装置に表示する。したがって、データ演算部に実行すべき演算処理方法を与えておけば、自動的に即時に所望の処理結果を得ることができる。
【０００７】
そして、この発明の実施の形態では、証券情報端末装置１００は、ホストコンピュータ１０と通信ネットワーク２０を介して接続され、ホストコンピュータ１０から証券データの配信を受ける。記憶手段である回線制御部３１と、受信データ蓄積部３２と、記憶部３３とは、配信された証券データを記憶部３３に記憶する。データ演算部３６は、実行すべき演算処理方法が与えられているので、証券データを用いて、指示された証券取引を演算処理し、結果を表示制御部３７を介してディスプレイ５０に表示フォーマットに従って表示させる。
【０００８】
また、この発明において、前記記憶手段は、証券データを株価データと、間接コストパラメータとに分割して別々の領域に記憶し、前記データ検索部は、証券取引の演算処理の場合にのみ、間接コストパラメータの記憶領域を検索する。
【０００９】
さらに、この発明において、前記証券取引として株式売買が指定され、対象とする銘柄および株式数量が指定されると、データ検索部によって、該当する株価データと間接コストパラメータとが記憶手段から読み出され、データ演算部によって買付支払額および売付受取額が算出され、その結果が表示制御部によってディスプレイに表示される。
【００１０】
【発明の実施の形態】
以下、この発明の実施の形態について添付図面に基づいて説明する。図１は、この発明の証券情報端末装置の実施の形態の構成を示すブロック図、図２は、図１の証券情報端末装置の動作を説明するためのフローチャート、図３（ａ）は、図１の証券情報端末装置が途中までの表示をディスプレイに行う例を示す図、図３（ｂ）は、図１の証券情報端末装置が完了した処理の表示をディスプレイに行う例を示す図、図４は、図１の証券情報端末装置が記憶部から読み出したパラメータと演算処理との関係を説明するための図である。
【００１１】
図１の証券情報端末装置１００は、通信ネットワーク２０を介してホストコンピュータ１０に接続されている。通信ネットワーク２０としては、有線あるいは無線の公衆通信回線網あるいは専用通信回線網が使用される。この例において、証券情報端末装置１００は、データ処理装置３０と、データ処理装置３０にユーザから必要な指示を行うキーボード４０と、データ処理装置３０の処理の結果を表示するディスプレイ５０とから構成されている。データ処理装置３０において、回線制御部３１は、通信ネットワーク２０を介してホストコンピュータ１０から送られてくる株価データおよび間接コストパラメータ等を含む証券データ処理に必要なデータを受け取る。受信データ蓄積部３２は、回線制御部３１が受け取ったデータを記憶部３３の各記憶領域に分離して格納する。分離した方が検索時に該当しない領域を検索する必要がなくなり効率的である。
【００１２】
データ検索部３４は、キー入力インタフェース部３５を介してキーボード４０から指示された処理に関して、必要な株価データおよび間接コストパラメータを記憶部３３から読み出す。データ演算部３６は、キー入力インタフェース部３５を介して入力したキーボード４０からの指示によってデータ検索部３４が読み出したデータを使用し、指示された演算処理を予め与えられていた演算式に基づいて処理する。表示制御部３７は、キー入力インタフェース部３５を介して入力したキーボード４０からの指示およびデータ演算部３６のデータ処理の結果等をディスプレイ５０に表示する。この場合、処理結果の表示は、それぞれの処理の種類に対応するフォーマットに従って表示する。
【００１３】
上述した証券情報端末装置１００のデータ処理に関する動作について図２および図３を参照して説明する。例えば、株式売買処理がキーボード４０から要求されると、データ検索部３４は、ディスプレイ５０上の表示により、扱うべき銘柄（会社名）あるいはそのコード番号を要求する。例えば、キーボード４０からコード番号ａｂｃｄが入力されると、データ検索部３４は、記憶部３３にアクセスし、コード番号ａｂｃｄに対応する銘柄の株価データを検索し（ステップＳ１１）、株価データが記憶部３３に存在するか否かを判断する（ステップＳ１２）。判断の結果、株価データが記憶部３３に存在しなければ終了するが、株価データが存在すれば、後続の処理をおこなう。
【００１４】
コード番号ａｂｃｄに対応する会社名、株価の現在値、現在値を取得した時刻、株価の前日比、出来高を記憶部から読み出しディスプレイ５０に図３（ａ）のように表示するとともに、さらに、コード番号ａｂｃｄの銘柄に対する売買単位株式数、手数料率、消費税率、譲渡税率について、記憶したパラメータの中を検索する（ステップＳ１３）。検索の結果該当するパラメータが存在するか否かを判定する（ステップＳ１４）。存在しなければ終了するが、存在すれば、図４に示されるようなパラメータを用いて、以下のように売買代金、手数料、消費税、譲渡税、買付支払額、売付受取額、損益分岐株価について演算処理を行う。
【００１５】
売買代金＝株価×売買単位株式数  ・・・  （１）
に従って売買代金を算出し（ステップＳ１５）、
手数料＝売買代金×０．０１  ・・・  （２）
に従って手数料を算出し（ステップＳ１６）、
消費税＝手数料×０．０５  ・・・  （３）
に従って消費税を算出し（ステップＳ１７）、
譲渡税＝（売買代金−手数料−消費税）×０．０１０５  ・・・  （４）
に従って譲渡税を算出し（ステップＳ１８）、
買付支払額＝売買代金＋手数料＋消費税  ・・・  （５）
に従って買付支払額を算出し（ステップＳ１９）
売付受取額＝売買代金−手数料−消費税−譲渡税  ・・・  （６）
に従って売付受取額を算出し（ステップＳ２０）、
損益分岐株価＝売付受取額が現株価での
買付支払額を上回る最低の株価  ・・・  （７）
に従って損益分岐株価を算出する（ステップＳ２１）。これらの演算処理の結果を図５に示されるように表示項目毎にディスプレイ５０に表示する。ここでは、株式の売買処理について説明したが、これに限定されるわけではなく、売買の解約処理や債券投資の処理等について必要な演算方法や表示方法をデータ演算部３６や表示制御部３７に設定すれば所望の処理および表示をさせることが即時に実行できるようになる。
【００１６】
【発明の効果】
この発明の証券情報端末装置は、以上に詳述したように構成されているので、証券取引の処理に必要な証券データは、ホストコンピュータから証券情報端末装置の記憶手段に与えられ、証券情報端末装置において、データ検索部は、キーボード等の入力装置から証券取引の処理をすべき指示を与えられると、必要な証券データを記憶手段から読み出し、データ演算部に与え、データ演算部は、それに対して必要な演算処理を加え、その結果を表示制御部が表示フォーマットに従って表示装置に表示することによって、データ演算部に実行すべき演算処理方法を与えておけば、自動的に即時に所望の処理結果を得ることができ、例えば、証券取引の対象商品の価格および諸費用が演算処理されて即時に分かり、投資家等が諸費用を含む正確な資産管理を短時間に行える。
【図面の簡単な説明】
【図１】この発明の証券情報端末装置の実施の形態の構成を示すブロック図である。
【図２】図１の証券情報端末装置の動作を説明するためのフローチャートである。
【図３】（ａ）は、図１の証券情報端末装置が途中までの表示をディスプレイに行う例を示す図である。
（ｂ）は、図１の証券情報端末装置が完了した処理の表示をディスプレイに行う例を示す図である。
【図４】図１の証券情報端末装置が記憶部から読み出したパラメータと演算処理との関係を説明するための図である。
【符号の説明】
１０    ホストコンピュータ
２０    通信ネットワーク
３０    データ処理装置
３１    回線制御部
３２    受信データ蓄積部
３３    記憶部
３４    データ検索部
３５    キー入力インタフェース部
３６    データ演算部
３７    表示制御部
４０    キーボード
５０    ディスプレイ
１００    証券情報端末装置
Ｓ１１〜Ｓ２１    ステップ
【図１】
0004441055.tif 000002
【図２】
0004441055.tif 000003
【図３】
0004441055.tif 000004
【図４】
0004441055.tif 000005